(57)【特許請求の範囲】
【請求項１】
丸棒には最終的に形成される円筒状体を支持する延長部材を連結し、長方形状の紙片を平面上に広げ、該紙片上にて該丸棒を該紙片の対角線（ｄ）と平行になるように該紙片に押し付けつつ該対角線と直角の一方向に転動させることにより該紙片を丸棒の周囲に円筒状に巻き付けて一つの円筒状体を形成し、当該一つの円筒状体を該丸棒に連結された延長部材の方向に送り、当該一つの円筒状体の一端部に次の円筒状体の対応端部を重ねて糊付けした状態になるように、糊を付した長方形状の紙片により当該次の円筒状体を当該一つの円筒状体と同様に形成し、以後同様にして所望の長さの円筒状体を形成するようにしたことを特徴とする、紙材により円筒状体を形成する方法。
【発明の詳細な説明】
【０００１】
【発明の属する技術分野】
本発明は、紙材により円筒状体を形成する方法に関するものであり、更に詳しくは、不要になった電話帳、新聞等の紙材を用いて手作業により敷物、壁掛け、ペン立て、花器、ゴミ箱その他種々の物品を作る際に、該物品を構成する紙材部品としての円筒状体を形成する方法に係るものである。因みに、これらの物品は、アートないしハンドクラフトとして、或いは高齢者等のリハビリ用に、専ら手作業により作られるものである。
【０００２】
【従来の技術】
本出願人は、特開平１０−１３７０９２号において、図１６に示すように、電話帳、新聞等の紙材を丸棒に巻き付けて形成した円筒状体（図７参照）を平らに押圧することにより形成した薄板状長片１（図８参照）と該薄板状長片１を丸棒に巻き付けて形成したロール状体３（図９、図１０参照）とを用いて形成した敷物を提供している。
【０００３】
上記敷物においては、円筒状体を平らに押圧することにより形成した薄板状長片と該薄板状長片を丸棒に巻き付けて形成したロール状体とが使用されているが、円筒状体をそのまま使用しても差し支えないことはいうまでもない。いずれにせよ、上記敷物の如き物品を形成する際には、まず、電話帳、新聞等の紙材を丸棒に巻き付けて多数の円筒状体を形成する必要がある。
【０００４】
しかして、上記従来の敷物においては、紙材により円筒状体を形成する際には、電話帳、新聞等の紙材を適宜の大きさの長方形状の紙片に切断し、各紙片をそれぞれ各別に丸棒に巻き付けて短い円筒状体５、５…を形成し、図１４、図１５に示すように、各円筒状体５の一端部５ａを別の円筒状体５の対応端部５ｂに挿入し、当該一端部５ａと対応端部５ｂとを糊により相互に固定することにより所望の長さを備えた円筒状体を形成するという方法が採られていた。
【０００５】
【発明が解決しようとする課題】
しかるに、上記従来の方法により所望の長さを備えた円筒状体を形成する作業は面倒である。更に、各円筒状体５の一端部５ａを別の円筒状体５の対応端部５ｂに挿入して糊により固定するようにしているため、当該別の円筒状体５の対応端部５ｂが円筒状体５の他の部分よりも膨出して体裁面で問題が生ずる。従って、このような膨出部を備えた円筒状体を平らに押圧することにより形成される薄板状長片或いは該薄板状長片を丸棒に巻き付けて形成されるロール状体の体裁も不都合なものとなる。
本発明は、紙材により円筒状体を形成する上記従来の方法における以上の如き問題を解決しようとしてなされたものである。
【０００６】
【課題を解決するための手段】
上記課題を解決するために、本発明は下記の如き紙材により円筒状体を形成する方法を提供する。
【０００７】
（１）丸棒には最終的に形成される円筒状体を支持する延長部材を連結し、長方形状の紙片を平面上に広げ、該紙片上にて該丸棒を該紙片の対角線（ｄ）と平行になるように該紙片に押し付けつつ該対角線と直角の一方向に転動させることにより該紙片を丸棒の周囲に円筒状に巻き付けて一つの円筒状体を形成し、当該一つの円筒状体を該丸棒に連結された延長部材の方向に送り、当該一つの円筒状体の一端部に次の円筒状体の対応端部を重ねて糊付けした状態になるように、糊を付した長方形状の紙片により当該次の円筒状体を当該一つの円筒状体と同様に形成し、以後同様にして所望の長さの円筒状体を形成するようにしたことを特徴とする、紙材により円筒状体を形成する方法（請求項１）。
【０００８】
（２）一つの円筒状体の一端部に次の円筒状体の対応端部を重ねるに当り、当該次の円筒状体を形成すべき長方形状の紙片における当該一つの円筒状体側にある二つの角部（ａ）（ｂ）のうち前記丸棒と平行な前記対角線（ｄ）上にない角部（ａ）と当該一つの円筒状体の一端部における先端（ｅ）とを共に丸棒に垂直な線（ｆ）上に位置させることにより、当該次の円筒状体を形成したときに該角部（ａ）が該先端（ｅ）と一致するようにしたことを特徴とする、紙材により円筒状体を形成する方法。
【０００９】
（３）上面に複数の平行な案内線を備えた基板の上側には透明板を取り付けると共に該基板の下面には滑り止め手段を備えさせ、該基板と透明板との間に前記紙片と同一の大きさと形状とを備えた長方形状のサンプル用紙片を該サンプル用紙片の対角線が基板上面の案内線と直角になり且つ該サンプル用紙片における前記角部（ａ）に対応する角部（４３ａ）が一つの案内線上に位置するように配設し、長方形状の紙片を該サンプル用紙片に位置を合わせて透明板上に載置し、該紙片を前記丸棒の周囲に円筒状に巻き付けるようにしたことを特徴とする、紙材により円筒状体を形成する方法。
【００１０】
【作用】
[請求項１の方法]
延長部材は所望の長さの円筒状体を支持するものである。丸棒は長方形状の紙片の対角線と平行になるようにしているため、各紙片は常に一定の角度で丸棒の周囲に円筒状に巻き付けられると共に、各円筒状体の両端部は残りの中央部に比べて肉厚が小さくなる。従って、各円筒状体における薄肉の各端部に他の円筒状体の端部を重ねて巻き付けたときには円筒状体はほぼ同一の外径を維持した状態で所望の長さに連続的に形成される。円筒状体は当初から連続した状態で形成されるものであり、予め各別に形成された円筒状体を後に連結するものではない。円筒状体は順次延長部材の方向に送られるのであるが、延長部材は円筒状体を貫通状態で支持し、円筒状体が折れ曲がることを防止する。
【００１１】
図１に示すように、一つの円筒状体の一端部に次の円筒状体の対応端部を重ねる際に、当該次の円筒状体を形成する長方形状の紙片における当該一つの円筒状体側にある二つの角部ａ、ｂのうち前記丸棒と平行な前記対角線ｄ上にない角部ａが当該一つの円筒状体の一端部における先端ｅと一致する。即ち、角部ａを通り丸棒に垂直に交わる線ｆは当該一つの円筒状体の一端部における先端ｅを通る。線ｆと長方形状の紙片の縁との交点をｃとし、角部ｂを通り丸棒に垂直に交わる線ｇと丸棒との交点をｈとする。また、長方形状の紙片の反対側におけるこれらの角部ａ、ｂ、点ｃ、線ｆ、ｇに対応する角部、点、線については、角部ａ、ｂ、点ｃ、線ｆ、ｇと同一の符号に「’」を付して示す。長方形状の紙片における角部ａと角部ｂと点ｃとをそれぞれ結ぶ線分により形成される三角形部分を丸棒に巻き付けてなる円筒状体部分の肉厚は、角部ａと点ｃとを通る線ｆから線ｇに向かって徐々に小さくなる。一方、既に丸棒に巻き付けられた円筒状体における線ｇと丸棒との交点ｈと先端ｅとの間の部分ｉは、長方形状の紙片における角部ａ’と角部ｂ’と点ｃ’とをそれぞれ結ぶ線分により形成される三角形部分に対応するものであり、逆に線ｇ（点ｈ）から線ｆ(先端ｅ)に向かって徐々に小さくなる。なお、長方形状の紙片における角部ａと点ｃと角部ａ’と点ｃ’とを結ぶ線分により形成される平行四辺形部分を丸棒に巻き付けてなる円筒状体部分（部分ｊに対応する）の肉厚は一定である。従って、一つの円筒状体の一端部に次の円筒状体の対応端部を重ねる際に、当該次の円筒状体を形成する長方形状の紙片における角部ａを当該一つの円筒状体の一端部における先端ｅと一致させれば、当該二つの円筒状体における相対応する端部は肉厚が相互に反対方向に小さくなる関係にあるため、当該二つの円筒状体における相対応する端部は肉厚を相互に補完し合い、前記平行四辺形部分を丸棒に巻き付けてなる円筒状体部分ｊの肉厚と同一となる。即ち、連続的に形成される円筒状体は全長にわたって同一の肉厚することになる。換言すれば、所望の長さに連続的に形成される円筒状体は全長にわたって同一の外径と同一の内径とを有することになる。
【００１２】
作業者は単に長方形状の紙片をサンプル用紙片に位置を合わせて透明板状に載置し、丸棒を案内線に沿って一方向に転動させることにより該紙片を該丸棒の周囲に円筒状に巻き付ければよい。また、丸棒に巻き付けた円筒状体を延長部材の方向に送る際には、単に該円筒状体の先端をサンプル用紙片における前記角部が位置する前記一つの案内線上に位置させればよい。以上により、上記方法の要件が自動的に満たされる。基板はテーブル上等に載置して使用するのであるが、基板は下面に滑り止め手段を備えているため、基板が滑るおそれはない。また、基板はテーブル等が糊等で汚れることを防止する。
【００１３】
【発明の実施の形態】
次に、本発明の実施の形態を添付図面に従って説明する。
【００１４】
符号１１に示すものは丸棒である。丸棒１１は転動させやすい長さを有する木製、金属製、プラスチック製等の円柱状体又は円筒状体である。丸棒１１には所望の長さの円筒状体１３を支持する延長部材１５を連結する。
【００１５】
図４に示す事例においては、丸棒１１の両端に延長部材１５たる別の丸棒を連結しているが、延長部材１５は丸棒１１の一端に連結すれば足りる。
【００１６】
図５に示す事例においては、多数の珠１７を糸１９により数珠状に連結してなる延長部材１５を丸棒１１の一端に取り外し自在に連結している。符号２１に示すものは延長部材１５の先端２３ないしその近傍部を取り外し自在に支持する支持体である。
【００１７】
図６に示す事例は図５に示す事例の変形例である。即ち、図６に示す事例においては、支持体２１は延長部材１５の先端２３ないしその近傍部を取り外し自在且つ長さ調節自在に支持する挟持体２５を上端に備えている。
【００１８】
次に、上記丸棒１１と延長部材１５を用いて紙材により円筒状体を形成する方法について説明する。
【００１９】
不要になった電話帳、新聞等の紙材を長方形状に切断してなる紙片３１を平面上に広げ、該紙片３１上にて丸棒１１を該紙片３１の対角線ｄと平行になるように該紙片３１に押し付けつつ該対角線ｄと直角の一方向（図１の矢印に示す方向）に転動させることにより該紙片３１を丸棒１１の周囲に円筒状に巻き付けて一つの円筒状体１３ａを形成する。
【００２０】
当該一つの円筒状体１３ａを丸棒１１に連結された延長部材１５の方向（図１、図５、図６における左方）に送り、当該一つの円筒状体１３ａの一端部１３ａ−ｉに次の円筒状体１３ｂの対応端部１３ｂ−ｋを重ねて糊付けした状態で当該次の円筒状体１３ｂを当該一つの円筒状体１３ａと同様に形成し、以後同様にして所望の長さの円筒状体１３を形成する。図７参照。図１において符号３２、３４に示すものは紙片３１に付された糊である。
【００２１】
一つの円筒状体１３ａの一端部１３ａ−ｉに次の円筒状体１３ｂの対応端部１３ｂ−ｋを重ねる際に、当該次の円筒状体１３ｂを形成する長方形状の紙片３１における当該一つの円筒状体１３ａ側にある二つの角部ａ、ｂのうち前記丸棒１１と平行な前記対角線ｄ上にない角部ａが当該一つの円筒状体１３ａの一端部ｉ（１３ａ−ｉ）における先端ｅと一致するようになす。即ち、長方形状の紙片３１における角部ａと当該一つの円筒状体１３ａの一端部ｉ（１３ａ−ｉ）における先端ｅとが共に線ｆ上に位置するようになす。
【００２２】
次に、長方形状の紙片３１の位置あわせを容易ならしめるための補助手段３３について説明する。この補助手段３３は、図２、図３に示すように、上面に複数の平行な案内線３５を備えた基板３７の上側には透明板３９を取り付けると共に該基板３７の下面には滑り止め手段４１を備えさせ、該基板３７と透明板３９との間に前記各紙片３１と同一の大きさと形状とを備えたサンプル用紙片４３を該サンプル用紙片４３の対角線４３ｄが基板３７上面の案内線３５と直角になり且つ該サンプル用紙片４３における前記角部ａに対応する角部４３ａが一つの案内線３５上に位置するように配設してなるものである。なお、透明板３９の上面にも滑り止め処理を施すことが望ましい。
【００２３】
上記補助手段３３を使用する際には、長方形状の各紙片３１を該サンプル用紙片４３に位置を合わせて透明板３９上に載置し、各紙片３１を前記丸棒１１の周囲に円筒状に巻き付ける。
【００２４】
以上の如く形成された所望の長さの円筒状体１３は、敷物、壁掛け、ペン立て、花器、ゴミ箱その他種々の物品を作る際に、該物品を構成する紙材部品としてそのまま使用してもよいが、円筒状体１３を平らに押圧することにより形成した薄板状長片５１（図８参照）或いは該薄板状長片５１を丸棒５３に巻き付けて形成したロール状体５５（図９、図１０参照）を用いてもよい。
【００２５】
なお、物品における支持柱の如き支持体となるべき紙材部品を形成する際には、図１１に示すように、長方形状の紙片６１上に丸棒１１を該紙片６１の一辺６１ａと平行に置き、該丸棒１１を該一辺６１ａとの平行状態を維持しつつ転動させることにより該紙片６１を丸棒の周囲に円筒状に巻き付けて円筒状体６３を形成してもよい。この場合には、図１１に示すように、複数の紙片６１を丸棒１１に連続的に巻き付けてもよい。符号６５に示すものは糊である。図１２に示す事例においては、円筒状体６３の中央孔内に同様に形成された小径の円筒状体６７を挿入すると共に円筒状体６３の下端をロール状体５５の中央孔に挿入している。
【００２６】
図１３は薄板状長片５１とロール状体５５と円筒状体６３とを用いて形成された容器を示すものである。
【００２７】
【発明の効果】
[請求項１の方法]
請求項１の方法によれば所望の長さを備えた円筒状体を容易に形成することができる。
延長部材は円筒状体を確実に支持するため、延長部材が長い場合でも、丸棒を転動させる作業は容易である。丸棒は長方形状の紙片の対角線と平行になるようにしているため、各紙片は常に一定の角度で丸棒の周囲に円筒状に巻き付けられると共に、各円筒状体の両端部は残りの中央部に比べて肉厚が小さくなる。従って、各円筒状体における薄肉の各端部に他の円筒状体の端部を重ねて巻き付けたときには円筒状体はほぼ同一の外径を維持した状態で所望の長さに連続的に形成される。円筒状体は順次延長部材の方向に送られるのであるが、延長部材は円筒状体を貫通状態で支持し、円筒状体が折れ曲がることを防止する。
【００２８】
一つの円筒状体の一端部に次の円筒状体の対応端部を重ねる際に、当該次の円筒状体を形成する長方形状の紙片における角部ａを当該一つの円筒状体の一端部における先端ｅと一致させれば、当該二つの円筒状体における相対応する端部は肉厚が相互に反対方向に小さくなる関係にあるため、当該二つの円筒状体における相対応する端部は肉厚を相互に補完し合い、前記平行四辺形部分を丸棒に巻き付けてなる円筒状体部分ｊの肉厚と同一となる。即ち、連続的に形成される円筒状体は全長にわたって同一の肉厚することになる。換言すれば、所望の長さに連続的に形成される円筒状体は全長にわたって同一の外径と同一の内径とを有することになる。
【００２９】
作業者は単に長方形状の紙片をサンプル用紙片に位置を合わせて透明板状に載置し、丸棒を案内線に沿って一方向に転動させることにより該紙片を該丸棒の周囲に円筒状に巻き付ければよい。また、丸棒に巻き付けた円筒状体を延長部材の方向に送る際には、単に該円筒状体の先端をサンプル用紙片における前記角部が位置する前記一つの案内線上に位置させればよい。以上により、上記方法の要件が自動的に満たされるため、作業は極めて容易なものとなる。基板はテーブル上等に載置して使用するのであるが、基板は下面に滑り止め手段を備えているため、基板が滑るおそれはない。また、基板はテーブル等が糊等で汚れることを防止する。
【図面の簡単な説明】
【図１】紙片と丸棒との関係等を示す平面図である。
【図２】補助手段の断面図である。
【図３】補助手段の平面図である。
【図４】丸棒と延長部材の一例を示す斜視図である。
【図５】丸棒と延長部材の別の一例を示す斜視図である。
【図６】丸棒と延長部材の更に別の一例を示す斜視図である。
【図７】円筒状体を示す斜視図である。
【図８】薄板状長片を示す斜視図である。
【図９】薄板状長片からロール状体を形成している状態を示す斜視図である。
【図１０】ロール状体を示す斜視図である。
【図１１】紙片を円筒状体に形成している状態を示す平面図である。
【図１２】円筒状体等を示す斜視図である。
【図１３】容器の一例を示す斜視図である。
【図１４】円筒状体の一端部を別の円筒状体の対応端部に挿入しつつある状態を示す断面図である。
【図１５】円筒状体の一端部を別の円筒状体の対応端部に挿入した状態を示す断面図である。
【図１６】敷物を示す斜視図である。
【符号の説明】
１  薄板状長片
３  ロール状体
５  円筒状体
５ａ  一端部
５ｂ  対応端部
ａ  角部
ｂ  角部
ｃ  交点
ｄ  対角線
ｅ  先端
ｆ  線
ｇ  線
ｈ  交点
ｉ  部分
ｊ  部分
１１  丸棒
１３  所望の長さの円筒状体
１３ａ  円筒状体
１３ａ−ｉ  一端部
１３ｂ  円筒状体
１３ｂ−ｋ  対応端部
１３ｃ  円筒状体
１５  延長部材
１７  珠
１９  糸
２１  支持体
２３  先端
２５  挟持体
３１  紙片
３２  糊
３３  補助手段
３４  糊
３５  案内線
３７  基板
３９  透明板
４１  滑り止め手段
４３  サンプル用紙片
４３ａ  角部
４３ｄ  対角線
５１  薄板状長片
５３  丸棒
５５  ロール状体
６１  紙片
６１ａ  一辺
６３  円筒状体
６５  糊
６７  円筒状体
【図１】
0004530383.tif 000002
【図２】
0004530383.tif 000003
【図３】
0004530383.tif 000004
【図４】
0004530383.tif 000005
【図５】
0004530383.tif 000006
【図６】
0004530383.tif 000007
【図７】
0004530383.tif 000008
【図８】
0004530383.tif 000009
【図９】
0004530383.tif 000010
【図１０】
0004530383.tif 000011
【図１１】
0004530383.tif 000012
【図１２】
0004530383.tif 000013
【図１３】
0004530383.tif 000014
【図１４】
0004530383.tif 000015
【図１５】
0004530383.tif 000016
【図１６】
0004530383.tif 000017